(57)【要約】【課題】バルブからの油の流れに伴う異物の捕獲を許容しつつバルブへの油の流れに伴う異物の侵入を効果的に防止し、かつバルブからの油の供給をスムーズに行うことができるサブストレーナの構造を提供する。【解決手段】油流路2にサブストレーナ3とソレノイドバルブ4とを設け、ソレノイドバルブの切り換えにより、ソレノイドバルブから正方向に油を導出させる一方、ソレノイドバルブに逆方向から油を導入させる。サブストレーナに、第１メッシュスクリーン31と第２メッシュスクリーン32とを設け、第２メッシュスクリーンを、正方向に油を導出させる際に第１メッシュスクリーンから離反させる一方、逆方向から油を導入させる際に第１メッシュスクリーンに密接する方向に移動させる。両メッシュスクリーンのメッシュ部312,322同士を、第２メッシュスクリーンが第１メッシュスクリーンに密接したときに互いに位置ずれさせた状態で重なり合わせている。【選択図】図５
2009185867.tif 000002
【特許請求の範囲】
【請求項１】
自動変速機の油圧を制御するバルブボディの油流路に設けられるサブストレーナの構造であって、
上記油流路には、油中の異物を捕獲するサブストレーナと、油流路内での油の流れを正逆可能に切り換えるバルブとが設けられ、このバルブの切り換えにより、該バルブに対し正方向に流れる油が上記サブストレーナを介して上記油流路に導出される一方、上記バルブに対し逆方向に流れる油が上記サブストレーナを介して上記油流路から導入されるようになっており、
上記サブストレーナは、上記油流路に固定された第１メッシュスクリーンと、この第１メッシュスクリーンに対し上記油流路での油の流れ方向に沿って接離可能に設けられた第２メッシュスクリーンとを備え、この第２メッシュスクリーンは、上記バルブに対し正方向に流れる油が上記サブストレーナを介して上記油流路に導出される際に上記第１メッシュスクリーンから離反する方向に移動する一方、上記バルブに対し逆方向に流れる油が上記サブストレーナを介して上記油流路から導入される際に上記第１メッシュスクリーンに密接する方向に移動するようになっていて、
上記両メッシュスクリーンのメッシュ同士は、上記第２メッシュスクリーンが上記第１メッシュスクリーンに密接したときに互いに位置ずれした状態で重なり合わさることを特徴とするサブストレーナの構造。
【請求項２】
請求項１に記載のサブストレーナの構造において、
上記油流路の上記サブストレーナよりも反バルブ側には、その油流路を介した油の給排により係脱動作を行う係合要素が設けられていることを特徴とするサブストレーナの構造。
【請求項３】
請求項１または請求項２に記載のサブストレーナの構造において、
上記第２メッシュスクリーンには、上記バルブに対し正方向および逆方向に流れる油の流れを受ける油受け部が設けられていることを特徴とするサブストレーナの構造。
【発明の詳細な説明】
【技術分野】
【０００１】
本発明は、自動変速機の油圧を制御するバルブボディの内部の油流路に介設されるサブストレーナの構造に関し、詳しくは、油中に混在する磨耗微鉄粉や塵などの異物をバルブの手前で確実に捕獲してバルブスティックを防止する対策に係る。
【背景技術】
【０００２】
一般に、自動変速機の油圧を制御するバルブボディの内部には、油流路に介設される各種バルブに磨耗微鉄粉や塵などの異物が挟まって作動不良となる所謂バルブスティックを防止する上で、メインストレーナやサブストレーナが配設されている。このうちのメインストレーナは、オイルポンプのサクション側でオイルパン内に設けられている一方、サブストレーナは、バルブボディの内部の油流路における各種バルブの上流側に介設されている。
【０００３】
このようなサブストレーナとしては、例えば特許文献１に示すように、油流路に固定されたメッシュスクリーンを有し、このメッシュスクリーンのメッシュによって、バルブに対し油流路から導入される油中の異物を捕獲するようにしている。この場合、バルブに対し油流路からサブストレーナを介して導入される油の流れを考慮して、サブストレーナのメッシュスクリーンによる異物捕獲サイズ（メッシュの対角寸法）が設定されている。
【特許文献１】特開平５−１８７５２５号公報
【発明の開示】
【発明が解決しようとする課題】
【０００４】
ところで、油流路を流れる油は、バルブの切り換えによって、該バルブからサブストレーナを介して油流路に導出される正方向の流れと、バルブに対し油流路からサブストレーナを介してバルブに導入される逆方向の流れとに切り換えられることがある。
【０００５】
その場合、上記従来のもののように、バルブに対し油流路からサブストレーナを介して導入される油の流れを考慮して、サブストレーナのメッシュスクリーンによる異物捕獲サイズ（メッシュの対角寸法）が設定されていると、サブストレーナのメッシュスクリーンによる異物捕獲サイズを小さく設定、つまりメッシュの対角寸法を小さく設定すればするほど、バルブに対する異物の捕獲性能は向上するものの、油の流通抵抗が大きなものとなる。このため、特に、バルブからサブストレーナを介して油流路（サブストレーナの反バルブ側の油流路）に導出する油の正方向への流れを利用する場合には、サブストレーナによる大きな流通抵抗によってバルブからの油の供給をスムーズに行うことができない。
【０００６】
しかも、メッシュスクリーンのメッシュの対角寸法が小さく設定されていると、油の流れが逆方向の流れから正方向の流れ（バルブからサブストレーナを介して油流路に導出される流れ）に切り換わった際に、バルブから導出される油に混入していた異物がサブストレーナのメッシュスクリーンに捕獲されることになる。そのため、油の流れが再度逆方向の流れに切り換わった際に、メッシュスクリーンのメッシュに捕獲されていた異物が油の逆方向の流れに乗ってバルブに導入されることになり、この油の流れ方向の切り換えが繰り返されると、最終的にバルブに異物が挟まってバルブスティックを招くおそれがある。
【０００７】
本発明は、かかる点に鑑みてなされたものであり、その目的とするところは、油の正方向への流れに伴う異物の捕獲を許容しつつ油の逆方向への流れに伴うバルブへの異物の侵入を効果的に防止し、かつ油が正方向へ流れる際の流通抵抗を小さくしてバルブからの油の供給をスムーズに行うことができるサブストレーナの構造を提供することにある。
【課題を解決するための手段】
【０００８】
上記目的を達成するため、本発明では、自動変速機の油圧を制御するバルブボディの油流路に設けられるサブストレーナの構造を前提とし、上記油流路に、油中の異物を捕獲するサブストレーナと、油流路内での油の流れを正逆可能に切り換えるバルブとを設け、このバルブの切り換えにより、該バルブに対し正方向に流れる油を上記サブストレーナを介して上記油流路に導出させる一方、上記バルブに対し逆方向に流れる油を上記サブストレーナを介して上記油流路から導入させるようにしている。更に、上記サブストレーナに、上記油流路に固定された第１メッシュスクリーンと、この第１メッシュスクリーンに対し上記油流路での油の流れ方向に沿って接離可能に設けられた第２メッシュスクリーンとを設け、この第２メッシュスクリーンを、上記バルブに対し正方向に流れる油が上記サブストレーナを介して上記油流路に導出される際に上記第１メッシュスクリーンから離反する方向に移動させる一方、上記バルブに対し逆方向に流れる油が上記サブストレーナを介して上記油流路から導入される際に上記第１メッシュスクリーンに密接する方向に移動させるようにしている。そして、上記両メッシュスクリーンのメッシュ同士を、上記第２メッシュスクリーンが上記第１メッシュスクリーンに密接したときに互いに位置ずれさせた状態で重なり合わせている。
【０００９】
この特定事項により、油流路を流れる油がバルブに対し油流路からサブストレーナを介してバルブに導入される逆方向の流れに切り換わった場合には、第２メッシュスクリーンが第１メッシュスクリーンに密接する方向に移動して該第１メッシュスクリーンのメッシュに対し第２メッシュスクリーンのメッシュが位置ずれした状態で重なり合わさることで互いのメッシュスクリーンによる異物捕獲サイズが小さくなる。これにより、バルブに対し油流路から導入される逆方向の油の流れに乗った異物がサブストレーナにより確実に捕獲されてバルブへの異物の侵入が防止され、バルブに異物が挟まるバルブスティックを効果的に防止することが可能となる。
【００１０】
一方、油流路を流れる油がバルブからサブストレーナを介して油流路に導出される正方向の流れに切り換わった場合には、第２メッシュスクリーンが第１メッシュスクリーンから離反する方向に移動して互いのメッシュスクリーンによる異物捕獲サイズが個々に保たれる。これにより、油が正方向に流れる際の流通抵抗が小さなものとなって油の流通がスムーズに行え、バルブからサブストレーナを介して油流路（サブストレーナの反バルブ側の油流路）に導出する油の正方向への流れを利用したバルブからの油の供給をスムーズに行うことが可能となる。
【００１１】
しかも、バルブから油流路に導出される油が正方向へ流れている場合に、第２メッシュスクリーンが第１メッシュスクリーンから離反する方向に移動して互いのメッシュスクリーンによる異物捕獲サイズが個々に保たれていることにより、バルブから導出される油に混入していた異物は、サブストレーナのメッシュスクリーンに捕獲され難くなり、双方のメッシュスクリーンを介して油流路に円滑に導出される。このため、油の流れが再度逆方向の流れに切り換わっても、油が正方向に流れている際に各メッシュスクリーンの異物捕獲サイズをすり抜けた異物が油の逆方向の流れに乗ってバルブに再度導入されることはない。これにより、逆方向へ流れる油中の異物が異物捕獲サイズの小さなサブストレーナによって確実に捕獲され、油の流れ方向が繰り返し切り換えられた際の最終的なバルブスティックも効果的に防止することが可能となる。
【００１２】
特に、上記油流路の上記サブストレーナよりも反バルブ側に、その油流路を介した油の給排により係脱動作を行う係合要素を設けている場合には、バルブから正方向へ流れる油がサブストレーナを介して油流路に導出される際に第１メッシュスクリーンから離反する方向に移動する第２メッシュスクリーンによって互いのメッシュスクリーンによる異物捕獲サイズが個々に保たれていることにより、油が正方向に流れる際の流通抵抗が小さなものとなり、油の流通がスムーズに行える。これにより、油の正方向への流れによって係合要素に油を供給して係合動作させる際に係合要素の反応が速くなり、係合要素を迅速に係合動作させることが可能となる。
【００１３】
更に、上記第２メッシュスクリーンに、上記バルブに対し正方向および逆方向に流れる油の流れを受ける油受け部を設けている場合には、第２メッシュスクリーンは、油の正逆方向の流れを油受け部で受けて第１メッシュスクリーンに対し離反または密接する方向に速やかに移動することになる。これにより、油が正方向の流れに切り換わった際に流通抵抗が速やかに小さなものとなり、油が正方向に流れる際の流通抵抗を速やかに小さなものにして油の流通をスムーズに行い、バルブからサブストレーナを介して油流路に導出する油の正方向への流れを利用したバルブからの油の供給をよりスムーズに行うことが可能となる。一方、油が逆方向の流れに切り換わった際にバルブに対し導入される油に混入している異物がサブストレーナに速やかに捕獲され、バルブスティックをより効果的に防止することが可能となる。
【発明の効果】
【００１４】
以上、要するに、第２メッシュスクリーンを、バルブから油流路に導出する油の正方向への流れに沿って第１メッシュスクリーンから離反する方向に移動させる一方、油流路からバルブに導入する油の逆方向への流れに沿って第１メッシュスクリーンに密接する方向に移動させてメッシュ同士を位置ずれさせた状態で重なり合わせることで、油が逆方向へ流れる際に互いのメッシュスクリーンによる異物捕獲サイズを小さくし、逆方向へ流れる油中の異物をサブストレーナで確実に捕獲してバルブスティックを効果的に防止することができる。一方、油が正方向に流れる際に互いのメッシュスクリーンによる異物捕獲サイズを個々に保って、油が正方向に流れる際の流通抵抗を小さくして油の流通をスムーズに行いつつ異物の通過を許容し、油の正方向への流れを利用したバルブからの油の供給をスムーズに行うことができるとともに、異物捕獲サイズの小さなサブストレーナによって逆方向へ流れる油中の異物を確実に捕獲して油の流れ方向を繰り返し切り換えた際の最終的なバルブスティックも効果的に防止することができる。
【発明を実施するための最良の形態】
【００１５】
次に、本発明の自動変速機の油圧を制御するバルブボディの内部の油流路に介設されるサブストレーナの構造を図面に基づいて説明する。
【実施例１】
【００１６】
図１に示すように、バルブボディ１の内部には、断面略矩形状の油流路２が設けられている。バルブボディ１は、上部バルブボディ１１と下部バルブボディ１２とが層状に積層されてなり、この上部バルブボディ１１と下部バルブボディ１２とがセパレートプレート１３によって仕切られている。また、油流路２は、上部バルブボディ１１の下面および下部バルブボディ１２の上面にそれぞれ凹設された凹部２１をセパレートプレート１３によって閉じることによって形成されている。そして、上部バルブボディ１１下面の油流路２（凹部２１）と下部バルブボディ１２上面の油流路２（凹部２１）とは、セパレートプレート１３に開口する連通口を介して連通している。
【００１７】
また、図２に示すように、上部バルブボディ１１下面の油流路２には、油中の磨耗微鉄粉や塵などの異物を捕獲するサブストレーナ３と、図示しないロックアップクラッチ（係合要素）の係脱を制御するためのソレノイドバルブ４（バルブ）とが介設されている。このロックアップクラッチは、油流路２のサブストレーナ３よりも反ソレノイドバルブ４側（図２では左側）に設けられている。そして、ソレノイドバルブ４の切り換えにより、ソレノイドバルブ４から正方向（図２では左方向）に流れる油が油流路２に導出されてロックアップクラッチに供給されることによって、ロックアップクラッチの係合が行われる一方、ソレノイドバルブ４に対しロックアップクラッチから逆方向（図２では右方向）に排出されることにより戻された油が油流路２を介して導入されることによって、ロックアップクラッチの係合が離脱されるようになっている。この場合、ソレノイドバルブ４によるロックアップクラッチに対する油の給排は、油の正方向および逆方向の流れを問わずサブストレーナ３を介して行われる。
【００１８】
そして、サブストレーナ３は、油流路２に設けられた第１メッシュスクリーン３１と、この第１メッシュスクリーン３１の反ソレノイドバルブ４側に設けられた第２メッシュスクリーン３２とを備えている。図３の（ａ）および（ｂ）に示すように、第１および第２メッシュスクリーン３１，３２は、それぞれ油流路２の断面形状に則した略矩形枠状の枠部３１１，３２１と、この各枠部３１１，３２１の内側に嵌合されたメッシュ部３１２，３２２（メッシュ）とを備えている。各メッシュ部３１２，３２２は、例えばＳＵＳ♯１００などの金属メッシュ線材同士の交差部を焼結結合して略平坦な面状に形成されている。そして、各メッシュ部３１２，３２２は、金属メッシュ線材同士が縦横に略９０°で交差して略正方形状の網目に形成され、その網目の対角寸法が４００μｍとなる異物捕獲サイズに設定されている。この場合、第２メッシュスクリーン３２は、第１メッシュスクリーン３１に対し互いの金属メッシュ線材同士の対角寸法方向に２００μｍ位置ずれした状態で油流路２の拡径部２２内に収容されている。
【００１９】
また、図４および図５に示すように、第１メッシュスクリーン３１は、油流路２に固定されて移動不能となっているのに対し、第２メッシュスクリーン３２は、第１メッシュスクリーン３１に対し油流路２での油の流れ方向に沿って接離可能となっている。この第２メッシュスクリーン３２は、油流路２の内周壁（上部バルブボディ１１およびセパレートプレート１３の油流路２内における内周壁）に全周に亘って凹設された拡径部２２内に収容され、図４に示すように、ソレノイドバルブ４から正方向（図４では左方向）に流れる油がサブストレーナ３を介して油流路２に導出される際にその導出方向への油の流れに沿って第１メッシュスクリーン３１から離反する方向（図４では左方向）に移動する一方、図５に示すように、ソレノイドバルブ４に対し油流路２から逆方向（図５では右方向）に流れる油がサブストレーナ３を介して導入される際にその導入方向への油の流れに沿って第１メッシュスクリーン３１に密接する方向（図５では右方向）に移動するようになっている。そして、図６に示すように、第２メッシュスクリーン３２が第１メッシュスクリーン３１に密接する方向（図５では右方向）に移動すると、互いの金属メッシュ線材同士の対角寸法方向に２００μｍ位置ずれした状態で第１メッシュスクリーン３１に重なり合わさり、これによって互いのメッシュスクリーン３１，３２のメッシュ部３１２，３２２による異物捕獲サイズが略半分の２００μｍとなる。また、図３の（ｂ）に示すように、第２メッシュスクリーン３２のメッシュ部３２２の周囲には、油流路２を流れる油の流れを受けて第２メッシュスクリーン３２を接離方向に移動させる油受け部３２３が設けられている。この油受け部３２３は、枠部３２１を内方に延長させてメッシュ部３２２の周囲を塞ぐものであり、油流路２を流れる油の流れを受け易くしている。この場合、拡径部２２内での油の流れ方向における第２メッシュスクリーン３２の可動範囲は、１ｍｍ程度であり、図５に示すように、第１メッシュスクリーン３１に対し第２メッシュスクリーン３２が離反する方向へ１ｍｍ程度移動することで、互いのメッシュスクリーン３１，３２による網目の対角寸法が減少することなく４００μｍの異物捕獲サイズ（対角寸法）に個々に保たれるようになっている。
【００２０】
したがって、上記実施例１では、油流路２を流れる油がソレノイドバルブ４に対し油流路２からサブストレーナ３を介してソレノイドバルブ４に導入される逆方向の流れに切り換わった場合には、第２メッシュスクリーン３２が第１メッシュスクリーン３１に密接する方向に移動して該第１メッシュスクリーン３１のメッシュ部３１２に対し第２メッシュスクリーン３２のメッシュ部３２２が、互いの異物捕獲サイズを最も小さくする方向に位置ずれした状態、つまり互いの金属メッシュ線材同士の対角寸法方向に２００μｍ位置ずれした状態で、第１メッシュスクリーン３１に重なり合わさり、これによって互いのメッシュスクリーン３１，３２のメッシュ部３１２，３２２による異物捕獲サイズが４００μｍから略半分の２００μｍになる。これにより、ソレノイドバルブ４に対し油流路２から導入される逆方向の油の流れに乗った異物がサブストレーナ３の両メッシュスクリーン３１，３２のメッシュ部３１２，３２２により確実に捕獲されてソレノイドバルブ４への異物の侵入が防止され、ソレノイドバルブ４に異物が挟まるバルブスティックを効果的に防止することができる。
【００２１】
一方、油流路２を流れる油がソレノイドバルブ４からサブストレーナ３を介して油流路２に導出される正方向の流れに切り換わった場合には、第２メッシュスクリーン３２が第１メッシュスクリーン３１から離反する方向に移動して互いのメッシュスクリーン３１，３２のメッシュ部３１２，３２２による網目の対角寸法が減少することなく４００μｍの異物捕獲サイズに個々に保たれる。このため、油が正方向に流れる際の流通抵抗が小さなものとなって油の流通がスムーズに行える。これにより、ソレノイドバルブ４からサブストレーナ３を介して油流路２（サブストレーナ３の反ソレノイドバルブ４側の油流路２）に導出された油の正方向への流れによってロックアップクラッチに油を供給して係合動作させる際にロックアップクラッチの反応が速くなり、ロックアップクラッチを迅速に係合動作させることができる。
【００２２】
しかも、ソレノイドバルブ４から油流路２に導出される油が正方向へ流れている場合に、第２メッシュスクリーン３２が第１メッシュスクリーン３１から離反する方向に移動して互いのメッシュスクリーン３１，３２のメッシュ部３１２，３２２による網目の対角寸法が４００μｍの異物捕獲サイズに個々に保たれていることにより、ソレノイドバルブ４から導出される油に混入していた異物は、サブストレーナ３の第１および第２メッシュスクリーン３１，３２に捕獲され難くなり、双方のメッシュスクリーン３１，３２を介して油流路２に円滑に導出される。このため、油の流れが再度逆方向の流れに切り換わっても、油が正方向に流れている際に各メッシュスクリーン３１，３２の異物捕獲サイズをすり抜けた異物が油の逆方向の流れに乗ってソレノイドバルブ４に再度導入されることはない。これにより、異物捕獲サイズの小さなサブストレーナ３によって逆方向へ流れる油中の異物が確実に捕獲され、油の流れ方向が繰り返し切り換えられた際の最終的なバルブスティックも効果的に防止することができる。
【００２３】
更に、第２メッシュスクリーン３２のメッシュ部３２２の周囲に油流路２を流れる油の流れを受ける油受け部３２３が設けられているので、第２メッシュスクリーン３２は、油の流れを油受け部３２３で受けて第１メッシュスクリーン３１に対する接離方向に速やかに移動することになる。これにより、油が正方向の流れに切り換わった際に流通抵抗が速やかに小さなものとなり、ロックアップクラッチの係合動作をより迅速に行うことができる一方、油が逆方向の流れに切り換わった際にソレノイドバルブ４に対し導入される油に混入している異物がサブストレーナ３の各メッシュスクリーン３１，３２に速やかに捕獲され、バルブスティックをより効果的に防止することができる。
【実施例２】
【００２４】
次に、本発明の実施例２を図７および図８に基づいて説明する。
【００２５】
この実施例では、第２メッシュスクリーンの構成を変更している。なお、第２メッシュスクリーンを除くその他の構成は上記実施例１の場合と同じであり、同一部分については同じ符号を付してその詳細な説明は省略する。
【００２６】
すなわち、本実施例では、図７および図８に示すように、第２メッシュスクリーン３３は、第１メッシュクリーン３１の反ソレノイドバルブ４側（図７および図８では左側）に設けられている。この第２メッシュスクリーン３３の枠部３３１の上辺は、第２メッシュスクリーンを拡径部２２内において第１メッシュスクリーン３１に密接させる方向に付勢するバネ機構を備えた板状の油受け部３３２の一端（先端）に第１軸３３０を介して枢着されている。
【００２７】
また、拡径部２２は、上部バルブボディ１１の油流路２内における上面側を除く内周壁（上部バルブボディ１１の油流路２内における左右両側面側およびセパレートプレート１３の油流路２内における上面側）に設けられている。上部バルブボディ１１の油流路２内における上面側において拡径部２２より反ソレノイドバルブ４側に所定距離隔てた位置には、油受け部３３２の他端（基端）が第２軸３３４を介して枢着されている。そして、油受け部３３２は、その一端側に行くに従い油流路２の中心側に位置するようにソレノイドバルブ４に向かって斜め方向に傾斜していて、導入方向（逆方向）および導出方向（正方向）への油の流れを受け易くしている。この場合、油受け部３３２は、ソレノイドバルブ４に対し油流路２から逆方向（図７および図８では右方向）に流れる油がサブストレーナ３を介して導入される際、およびソレノイドバルブ４から油流路２に正方向（図７および図８では左方向）に流れる油がサブストレーナ３を介して導出される際に、その導出入方向への油の流れを受けるものである。このとき、第２メッシュスクリーン３３は、ソレノイドバルブ４に対し油流路２から逆方向に導入される際の油の流れを受けた油受け部３３２が反付勢方向に移動することで、第１メッシュスクリーン３１に密接するようになっている。
【００２８】
そして、第２メッシュスクリーン３３は、図７に示すように、ソレノイドバルブ４から正方向に流れる油がサブストレーナ３を介して油流路２に導出される際に、この導出方向（正方向）への油の流れを油受け部３３２で受けるとともにその油受け部３３２のバネ機構によって第１メッシュスクリーン３１から離反する方向に移動している。一方、図８に示すように、ソレノイドバルブ４に対し油流路２から逆方向に流れる油がサブストレーナ３を介して導入される際に、その導入方向（逆方向）への油の流れを油受け部３３２が受けてその他端回りに反付勢方向に移動して、第２メッシュスクリーン３３を第１メッシュスクリーン３１に密接させるようにしている。また、第２メッシュスクリーン３３のメッシュ部３３３は、例えばＳＵＳ♯１００などの金属メッシュ線材同士の交差部を焼結結合して略平坦な面状に形成されている。このメッシュ部３３３は、金属メッシュ線材同士が縦横に略９０°で交差して略正方形状の網目（メッシュ）に形成され、その網目の対角寸法が４００μｍとなる異物捕獲サイズに設定されている。そして、第２メッシュスクリーン３３が第１メッシュスクリーン３１に密接するまで移動すると、互いの金属メッシュ線材同士の対角寸法方向に２００μｍ位置ずれした状態で第１メッシュスクリーン３１に重なり合わさり、これによって互いのメッシュスクリーン３１，３３のメッシュ部３１２，３３３による異物捕獲サイズが４００μｍから略半分の２００μｍとなっている。
【００２９】
したがって、上記実施例２では、油流路２を流れる油がソレノイドバルブ４に対し油流路２からサブストレーナ３を介してソレノイドバルブ４に導入される逆方向の流れに切り換わった場合には、その逆方向への油の流れを受けて油受け部３３２が反付勢方向に移動して第２メッシュスクリーン３３を第１メッシュスクリーン３１に密接するまで移動し、該第１メッシュスクリーン３１のメッシュ部３１２に対し第２メッシュスクリーン３３のメッシュ部３３３が互いの金属メッシュ線材同士の対角寸法方向に２００μｍ位置ずれした状態で第１メッシュスクリーン３１に重なり合わさり、これによって互いのメッシュスクリーン３１，３３のメッシュ部３１２，３３３による異物捕獲サイズが４００μｍから略半分の２００μｍとなる。これにより、ソレノイドバルブ４に対し油流路２から導入される逆方向の油の流れに乗った異物がサブストレーナ３の両メッシュスクリーン３１，３３のメッシュ部３１２，３３３により確実に捕獲されてソレノイドバルブ４への異物の侵入が防止され、ソレノイドバルブ４に異物が挟まるバルブスティックを効果的に防止することができる。
【００３０】
一方、油流路２を流れる油がソレノイドバルブ４からサブストレーナ３を介して油流路２に導出される正方向の流れに切り換わった場合には、この導出方向への油の流れを受けた油受け部３３２がバネ機構と相俟って第２メッシュスクリーン３３を第１メッシュスクリーン３１から離反させる方向に移動させることによって、互いのメッシュスクリーン３１，３３のメッシュ部３１２，３３３による網目の対角寸法が減少することなく４００μｍの異物捕獲サイズに個々に保たれる。このため、油が正方向に流れる際の流通抵抗が小さなものとなって油の流通がスムーズに行える。これにより、ソレノイドバルブ４からサブストレーナ３を介して油流路２（サブストレーナ３の反ソレノイドバルブ４側の油流路２）に導出された油の正方向への流れによってロックアップクラッチに油を供給して係合動作させる際にロックアップクラッチの反応が速くなり、ロックアップクラッチを迅速に係合動作させることができる。
【００３１】
しかも、ソレノイドバルブ４から油流路２に導出される油が正方向へ流れている場合に、その導出方向への油を受けた油受け部３３２がバネ機構と相俟って、第２メッシュスクリーン３３を第１メッシュスクリーン３１から離反させる方向に移動させて互いのメッシュスクリーン３１，３３のメッシュ部３１２，３３３による網目の対角寸法を４００μｍの異物捕獲サイズに個々に保つことにより、ソレノイドバルブ４から導出される油に混入していた異物は、サブストレーナ３の第１および第２メッシュスクリーン３１，３３に捕獲され難くなり、双方のメッシュスクリーン３１，３３を介して油流路２に円滑に導出される。このため、油の流れが再度逆方向の流れに切り換わっても、油が正方向に流れている際に各メッシュスクリーン３１，３３の異物捕獲サイズをすり抜けた異物が油の逆方向の流れに乗ってソレノイドバルブ４に再度導入されることはない。これにより、異物捕獲サイズの小さなサブストレーナ３によって逆方向へ流れる油中の異物が確実に捕獲され、油の流れ方向が繰り返し切り換えられた際の最終的なバルブスティックも効果的に防止することができる。
【００３２】
更に、第２メッシュスクリーン３３の上辺に油の流れを受ける油受け部３３２が設けられ、この油受け部３３２のバネ機構と相俟って油流路２を油が正方向に流れる際に第２メッシュスクリーン３３を第１メッシュスクリーン３１から離反させる方向に移動させていることにより、第２メッシュスクリーン３３は、第１メッシュスクリーン３１に対し接離方向に速やかに移動することになる。これにより、油が正方向の流れに切り換わった際に流通抵抗が速やかに小さなものとなり、ロックアップクラッチの係合動作をより迅速に行うことができる一方、油が逆方向の流れに切り換わった際にソレノイドバルブ４に対し導入される油に混入している異物がサブストレーナ３の各メッシュスクリーン３１，３３に速やかに捕獲され、バルブスティックをより効果的に防止することができる。
【実施例３】
【００３３】
次に、本発明の実施例３を図９および図１０に基づいて説明する。
【００３４】
この実施例では、第２メッシュスクリーンの構成を変更している。なお、第２メッシュスクリーンを除くその他の構成は上記実施例１の場合と同じであり、同一部分については同じ符号を付してその詳細な説明は省略する。
【００３５】
すなわち、本実施例では、図９および図１０に示すように、第２メッシュスクリーン３４は、第１メッシュスクリーン３１の反ソレノイドバルブ４側（図９および図１０では左側）に設けられている。
【００３６】
また、拡径部２２は、油流路２内における上面側を除く内周壁（上部バルブボディ１１の油流路２内にける左右両側面側およびセパレートプレート１３側の油流路２内における上面側）に設けられている。そして、第２メッシュスクリーン３４の上辺は、上部バルブボディ１１の油流路２内における上面側の第１メッシュスクリーン３１の上辺に寄り添うように軸３４１を介して取り付けられている。この軸３４１は、上部バルブボディ１１の油流路２内における上部バルブボディ１１の上面側を左右両側面側に延びて設けられ、第２メッシュスクリーン３４を回動自在に支持している。また、第２メッシュスクリーン３４の下端には、油流路２を流れる油の流れを受けて第２メッシュスクリーン３２を接離方向に移動させる油受け部３４２が設けられている。この油受け部３４２は、枠部３４３の下端を上方に延長させてメッシュ部３４４（メッシュ）の下端を塞ぐものであり、油流路２を流れる油の流れを受け易くしている。
【００３７】
そして、第２メッシュスクリーン３４は、図９に示すように、ソレノイドバルブ４から正方向に流れる油がサブストレーナ３を介して油流路２に導出される際に、この導出方向（正方向）への油の流れを油受け部３４２で受けて軸３４１を支点に第１メッシュスクリーン３１から離反する方向に移動している。一方、図１０に示すように、ソレノイドバルブ４に対し油流路２から逆方向に流れる油がサブストレーナ３を介して導入される際に、その導入方向（逆方向）への油の流れを油受け部３４２で受けて軸３４１を支点に回動して、第２メッシュスクリーン３４を第１メッシュスクリーン３１に密接させるようにしている。また、第２メッシュスクリーン３４のメッシュ部３４４は、例えばＳＵＳ♯１００などの金属メッシュ線材同士の交差部を焼結結合して略平坦な面状に形成されている。このメッシュ部３４４は、金属メッシュ線材同士が縦横に略９０°で交差して略正方形状の網目に形成され、その網目の対角寸法が４００μｍとなる異物捕獲サイズに設定されている。そして、第２メッシュスクリーン３４が第１メッシュスクリーン３１に密接するまで回動すると、互いの金属メッシュ線材同士の対角寸法方向に２００μｍ位置ずれした状態で第１メッシュスクリーン３１に重なり合わさり、これによって互いのメッシュスクリーン３１，３４のメッシュ部３１２，３４４による異物捕獲サイズが４００μｍから略半分の２００μｍとなる。この場合、拡径部２２内での油の流れ方向における第２メッシュスクリーン３２の下端の可動範囲は、１ｍｍ程度であり、第１メッシュスクリーン３１に対し第２メッシュスクリーン３４が離反する方向へ１ｍｍ程度回動することで、互いのメッシュスクリーン３１，３４による網目の対角寸法が４００μｍの異物捕獲サイズに個々に保たれるようになっている。
【００３８】
したがって、上記実施例３では、油流路２を流れる油がソレノイドバルブ４に対し油流路２からサブストレーナ３を介してソレノイドバルブ４に導入される逆方向の流れに切り換わった場合には、その逆方向への油の流れを油受け部３４２で受けて第２メッシュスクリーン３３が軸３４１を支点にして第１メッシュスクリーン３１に密接するまで回動し、該第１メッシュスクリーン３１のメッシュ部３１２に対し第２メッシュスクリーン３４のメッシュ部３４４が互いの金属メッシュ線材同士の対角寸法方向に２００μｍ位置ずれした状態で第１メッシュスクリーン３１に重なり合わさり、これによって互いのメッシュスクリーン３１，３４のメッシュ部３１２，３４４による異物捕獲サイズが４００μｍから略半分の２００μｍとなる。これにより、ソレノイドバルブ４に対し油流路２から導入される逆方向の油の流れに乗った異物がサブストレーナ３の両メッシュスクリーン３１，３４のメッシュ部３１２，３４４により確実に捕獲されてソレノイドバルブ４への異物の侵入が防止され、ソレノイドバルブ４に異物が挟まるバルブスティックを効果的に防止することができる。
【００３９】
一方、油流路２を流れる油がソレノイドバルブ４からサブストレーナ３を介して油流路２に導出される正方向の流れに切り換わった場合には、この導出方向への油の流れを油受け部３３２で受けて第２メッシュスクリーン３４が軸３４１を支点に第１メッシュスクリーン３１から離反する方向に移動し、互いのメッシュスクリーン３１，３４のメッシュ部３１２，３４４による網目の対角寸法が減少することなく４００μｍの異物捕獲サイズに個々に保たれる。このため、油が正方向に流れる際の流通抵抗が小さなものとなって油の流通がスムーズに行える。これにより、ソレノイドバルブ４からサブストレーナ３を介して油流路２（サブストレーナ３の反ソレノイドバルブ４側の油流路２）に導出された油の正方向への流れによってロックアップクラッチに油を供給して係合動作させる際にロックアップクラッチの反応が速くなり、ロックアップクラッチを迅速に係合動作させることができる。
【００４０】
しかも、ソレノイドバルブ４から油流路２に導出される油が正方向へ流れている場合に、その導出方向への油を油受け部３３２で受けて第２メッシュスクリーン３３を第１メッシュスクリーン３１から離反させる方向に回動させて互いのメッシュスクリーン３１，３４のメッシュ部３１２，３４４による網目の対角寸法を４００μｍの異物捕獲サイズに個々に保つことにより、ソレノイドバルブ４から導出される油に混入していた異物は、サブストレーナ３の第１および第２メッシュスクリーン３１，３４に捕獲され難くなり、双方のメッシュスクリーン３１，３４を介して油流路２に円滑に導出される。このため、油の流れが再度逆方向の流れに切り換わっても、油が正方向に流れている際に各メッシュスクリーン３１，３４の異物捕獲サイズをすり抜けた異物が油の逆方向の流れに乗ってソレノイドバルブ４に再度導入されることはない。これにより、異物捕獲サイズの小さなサブストレーナ３によって逆方向へ流れる油中の異物が確実に捕獲され、油の流れ方向が繰り返し切り換えられた際の最終的なバルブスティックも効果的に防止することができる。
【００４１】
更に、第２メッシュスクリーン３４の下端に油の流れを受ける油受け部３４２が設けられ、この油受け部３４２によって油流路２を油が正方向または逆方向に流れる際に第２メッシュスクリーン３４を第１メッシュスクリーン３１に対し接離させる方向に移動させていることにより、第２メッシュスクリーン３４は、第１メッシュスクリーン３１に対し接離方向に速やかに移動することになる。これにより、油が正方向の流れに切り換わった際に流通抵抗が速やかに小さなものとなり、ロックアップクラッチの係合動作をより迅速に行うことができる一方、油が逆方向の流れに切り換わった際にソレノイドバルブ４に対し導入される油に混入している異物がサブストレーナ３の各メッシュスクリーン３１，３４に速やかに捕獲され、バルブスティックをより効果的に防止することができる。
【００４２】
なお、本発明は、上記各実施例に限定されるものではなく、その他種々の変形例を包含している。例えば、上記各実施例では、各メッシュスクリーン３１〜３４のメッシュ部３１２，３２２，３３３，３４４を、金属メッシュ線材同士を縦横に略９０°で交差させて略正方形状の網目に形成したが、図１１に示すように、サブストレーナ５の第１および第２メッシュスクリーン５１，５２のメッシュ部５１１，５２１が、枠部５１２，５２２内において金属メッシュ線材同士を斜め左右方向から水平線に対し略６０°で交差させて略菱形形状の網目に形成されていてもよい。この場合においても、図１２に示すように、第２メッシュスクリーン５２が第１メッシュスクリーン５１に密接すると、互いの金属メッシュ線材同士の対角寸法方向に２００μｍ位置ずれした状態でメッシュ部５１１，５２１同士が重なり合わさり、これによって互いのメッシュスクリーン５１，５２のメッシュ部５１１，５２１による異物捕獲サイズが４００μｍから略半分の２００μｍとなる一方、第２メッシュスクリーン５２が第１メッシュスクリーン５１から離反すると、互いのメッシュスクリーン５１，５２のメッシュ部５１１，５２１による網目の対角寸法が減少することなく４００μｍの異物捕獲サイズに個々に保たれる。また、第１および第２メッシュスクリーンのうち、一方のメッシュスクリーンのメッシュ部が略円形状の網目に形成され、他方のメッシュスクリーンのメッシュ部が略正方形状または菱形形状の網目に形成されていてもよく、この場合においても、双方のメッシュスクリーンが密接して重なり合わさった際に、互いのメッシュスクリーンのメッシュ部による異物捕獲サイズが略半分となるように、いずれか一方のメッシュスクリーンを他方に対し位置ずれさせておけばよく、メッシュ部の網目の形状については、特に限定されるものではない。
【００４３】
また、上記各実施例では、メッシュ部３１２，３２２，３３３，３４４の対角寸法を４００μｍとしたが、メッシュ部の対角寸法はこれに限定されるものではなく、例えば、メッシュ部の対角寸法が４００μｍ未満であってもよい。
【００４４】
更に、上記各実施例では、サブストレーナ３の反ソレノイドバルブ４側の油流路２にロックアップクラッチを設けたが、このようにサブストレーナがソレノイドバルブとロックアップクラッチとの間に設けたものを対象とせず、ソレノイドバルブの切り換えによって該ソレノイドバルブに対する正方向または逆方向に油の流れが切り換わる油流路にサブストレーナが設けられている場合にも適用できる。また、ソレノイドバルブについても、ロックアップクラッチに対して油を給排するものに限定されることはない。
【図面の簡単な説明】
【００４５】
【図１】本発明の実施例１に係るサブストレーナが適用されるバルブボディの縦断面図である。
【図２】同じくサブストレーナおよびソレノイドバルブ付近の油流路の断面図である。
【図３】同じく（ａ）は第１メッシュスクリーンを流体の流れ方向から見た正面図、（ｂ）は第２メッシュスクリーンを流体の流れ方向から見た正面図である。
【図４】同じく油が油流路に導出される正方向の流れに切り換わった際に第２メッシュスクリーンが第１メッシュスクリーンから離反した状態を示すサブストレーナ付近の断面図である。
【図５】同じく油が油流路から導入される逆方向の流れに切り換わった際に第２メッシュスクリーンが第１メッシュスクリーンに密接した状態を示すサブストレーナ付近の断面図である。
【図６】同じく第２メッシュスクリーンが第１メッシュスクリーンに密接した状態を油の流れ方向から見たサブストレーナの一部を示す正面図である。
【図７】本発明の実施例２に係るサブストレーナ付近の断面図であって、油が油流路に導出される正方向の流れに切り換わった際に第２メッシュスクリーンが第１メッシュスクリーンから離反した状態を示している。
【図８】同じく油が油流路から導入される逆方向の流れに切り換わった際に第２メッシュスクリーンが第１メッシュスクリーンに密接した状態を示すサブストレーナ付近の断面図である。
【図９】本発明の実施例３に係るサブストレーナ付近の断面図であって、油が油流路に導出される正方向の流れに切り換わった際に第２メッシュスクリーンが第１メッシュスクリーンから離反した状態を示している。
【図１０】同じく油が油流路から導入される逆方向の流れに切り換わった際に第２メッシュスクリーンが第１メッシュスクリーンに密接した状態を示すサブストレーナ付近の断面図である。
【図１１】本発明の変形例に係るサブストレーナを流体の流れ方向からそれぞれ見た各メッシュスクリーンの正面図である。
【図１２】同じく第２メッシュスクリーンが第１メッシュスクリーンに密接した状態を油の流れ方向から見たサブストレーナのメッシュ部の一部を示す正面図である。
【符号の説明】
【００４６】
１        バルブボディ
２        油流路
３        サブストレーナ
３１      第１メッシュスクリーン
３１１    メッシュ部（メッシュ）
３２      第２メッシュスクリーン
３２１    メッシュ部（メッシュ）
３２３    油受け部
３３      第２メッシュスクリーン
３３２    油受け部
３３３    メッシュ部（メッシュ）
３４      第２メッシュスクリーン
３４２    油受け部
３４４    メッシュ部（メッシュ）
４        ソレノイドバルブ（バルブ）
５１      第１メッシュスクリーン
５１１    メッシュ部（メッシュ）
５２      第２メッシュスクリーン
５２１    メッシュ部（メッシュ）
【図１】
2009185867.tif 000003
【図２】
2009185867.tif 000004
【図３】
2009185867.tif 000005
【図４】
2009185867.tif 000006
【図５】
2009185867.tif 000007
【図６】
2009185867.tif 000008
【図７】
2009185867.tif 000009
【図８】
2009185867.tif 000010
【図９】
2009185867.tif 000011
【図１０】
2009185867.tif 000012
【図１１】
2009185867.tif 000013
【図１２】
2009185867.tif 000014